(57)【要約】      （修正有）【課題】同期した運動仲間ヘッドホンを提供する。【解決手段】ヘッドホン装置７０を仲間のヘッドホン９６の近くに位置付けてペアリングを確立し、ヘッドホン間で伝送情報を自動的に共有する。これらのヘッドホンの一方が音楽の再生を開始した時に、この伝送情報を用いて他方のヘッドホンに音楽を送信し、このヘッドホンが音楽を再生することにより、両ヘッドホン装着者が互いに同時に同じ音楽を聴けるようにする。また、各ヘッドホンはマイク８８を含むことができ、ヘッドホンのユーザがこのマイクを使用してトランシーバのように互いに通信することを、ペアリングからの伝送情報によって容易にすることもできる。【選択図】図２
2015061318.tif 000002
【特許請求の範囲】
【請求項１】
プロセッサにより実行可能な命令を有する少なくとも１つのコンピュータ可読記憶媒体と、
前記コンピュータ可読記憶媒体にアクセスして前記命令を実行するように構成された少なくとも１つのプロセッサと、
を備えた装置であって、前記命令は、前記プロセッサを、
前記プロセッサと通信する少なくとも１つの近距離無線通信（ＮＦＣ）要素によって可能とされるＮＦＣを用いて、仲間の装置とペアになって情報共有のためのＮＦＣペアリングを確立し、
前記ＮＦＣペアリングからの情報を用いて、無線トランシーバを使用して前記仲間の装置に音楽情報を提供する、
ように構成する、
ことを特徴とする装置。
【請求項２】
前記無線トランシーバは、Ｂｌｕｅｔｏｏｔｈ(登録商標)トランシーバである、
ことを特徴とする請求項１に記載の装置。
【請求項３】
前記プロセッサは、前記命令を実行した時に、前記装置の少なくとも１つのスピーカにおいて可聴運動情報を再生するように構成され、該可聴運動情報は、前記仲間の装置には送信されない、
ことを特徴とする請求項１に記載の装置。
【請求項４】
前記プロセッサは、前記命令を実行した時に、前記装置のユーザに取り付けられた生体測定センサからの、前記可聴運動情報の基になる情報を受け取るように構成される、
ことを特徴とする請求項３に記載の装置。
【請求項５】
前記プロセッサは、前記命令を実行した時に、
前記装置に付随するマイクから情報を受け取り、
前記ＮＦＣペアリングからの情報を用いて、前記マイクからの前記情報を前記仲間の装置に提供する、
ように構成される、
ことを特徴とする請求項１に記載の装置。
【請求項６】
前記可聴情報は、Ｂｌｕｅｔｏｏｔｈ(登録商標)を使用して前記仲間の装置に提供される、
ことを特徴とする請求項５に記載の装置。
【請求項７】
前記ＮＦＣ要素は、Ｂｌｕｅｔｏｏｔｈ(登録商標)トランシーバではない、
ことを特徴とする請求項１に記載の装置。
【請求項８】
前記プロセッサは、前記命令を実行した時に、前記プロセッサと通信する再生要素をユーザが選択したことに応答して、前記音楽情報を前記仲間の装置に提供するように構成される、
ことを特徴とする請求項１に記載の装置。
【請求項９】
前記装置は第１の装置であり、前記仲間の装置に提供される前記音楽情報は、前記第１の装置のスピーカ上で再生されている第１の楽曲であり、これにより前記第１の装置と前記仲間の装置が同じ楽曲を再生するようになる、
ことを特徴とする請求項１に記載の装置。
【請求項１０】
前記装置は第１の装置であり、前記仲間の装置に提供される前記音楽情報は、前記第１の装置のスピーカ上で再生されている第１の楽曲のテンポを含み、これにより前記第１の装置と前記仲間の装置が、前記第１の装置が前記仲間の装置に提供したテンポで互いに異なる楽曲を再生するようになる、
ことを特徴とする請求項１に記載の装置。
【請求項１１】
前記プロセッサは、前記命令を実行した時に、前記ＮＦＣペアリングからの情報を用いて、前記無線トランシーバを使用して前記仲間の装置から音楽情報を受け取るように構成される、
ことを特徴とする請求項１に記載の装置。
【請求項１２】
前記プロセッサは、前記命令を実行した時に、前記ＮＦＣペアリングからの情報を用いて、前記仲間の装置に付随するマイクにおける前記仲間の装置の入力からの可聴情報を受け取るように構成される、
ことを特徴とする請求項１に記載の装置。
【請求項１３】
第１のヘッドホンと仲間のヘッドホンを近接して配置して、該ヘッドホン間で自動的に情報を共有させるペアリングを確立するステップと、
前記情報を用いて、
（ａ）前記第１のヘッドホン上で再生されている音楽を前記仲間のヘッドホンに自動的に送信して再生させ、前記第１のヘッドホンと前記仲間のヘッドホンが互いに同時に同じ音楽を再生するようにする送信ステップ、
（ｂ）前記第１のヘッドホン上で再生されている音楽に関連するテンポ情報を前記仲間のヘッドホンに自動的に送信して、前記第１のヘッドホンと前記仲間のヘッドホンが異なる音楽を同じテンポで再生するようにする送信ステップ、
のうちの少なくとも一方を実行するステップと、
を含むことを特徴とする方法。
【請求項１４】
前記ペアリングは、近距離無線通信（ＮＦＣ）を用いて確立され、前記送信ステップは、前記ＮＦＣとは異なる無線送信プロトコルを用いて実行される、
ことを特徴とする請求項１３に記載の方法。
【請求項１５】
前記ペアリングからの情報を用いて、前記第１のヘッドホンに付随するマイクにおけるユーザの音声情報入力を前記仲間のヘッドホンに通信するステップをさらに含む、
ことを特徴とする請求項１３に記載の方法。
【請求項１６】
部品のセットであって、
マイク、少なくとも１つのスピーカ、少なくとも１つの近距離無線通信（ＮＦＣ）要素、及び該ＮＦＣ要素とは異なる少なくとも１つの無線トランシーバを含む第１のヘッドホンを含み、該第１のヘッドホンは、前記少なくとも１つのスピーカが人の耳に近接して配置されて、前記人が前記スピーカにより再生される音楽を聴けるように、前記人の頭部に取り付けられるよう構成され、前記セットは、
マイク、少なくとも１つのスピーカ、少なくとも１つの近距離無線通信（ＮＦＣ）要素、及び該ＮＦＣ要素とは異なる少なくとも１つの無線トランシーバを含む少なくとも１つの第２のヘッドホンをさらに含み、該第２のヘッドホンは、該第２のヘッドホンの前記少なくとも１つのスピーカが人の耳に近接して配置されて、前記人が前記第２のヘッドホンの前記スピーカにより再生される音楽を聴けるように、前記人の頭部に取り付けられるよう構成される、
ことを特徴とするセット。
【請求項１７】
前記第１のヘッドホンは、プロセッサにより実行可能な命令を有する少なくとも１つのコンピュータ可読記憶媒体を含み、前記第１のヘッドホンの前記プロセッサは、前記コンピュータ可読記憶媒体にアクセスして前記命令を実行するように構成され、前記命令は、前記第１のヘッドホンの前記プロセッサを、
前記ＮＦＣ要素を用いて、前記第２のヘッドホンとペアになって情報共有のためのＮＦＣペアリングを確立し、
前記ＮＦＣペアリングからの情報を用いて、前記無線トランシーバを使用して前記第２のヘッドホンに音楽情報を提供する、
ように構成する、
ことを特徴とする請求項１６に記載のセット。
【請求項１８】
前記第１のヘッドホンの前記プロセッサは、前記命令を実行した時に、前記第１のヘッドホンの前記少なくとも１つのスピーカにおいて可聴運動情報を再生するように構成され、該可聴運動情報は、前記第２のヘッドホンには送信されない、
ことを特徴とする請求項１７に記載のセット。
【請求項１９】
前記第１のヘッドホンの前記プロセッサは、前記命令を実行した時に、
前記第１のヘッドホンの前記マイクからの情報を受け取り、
前記ＮＦＣペアリングからの情報を用いて、前記第１のヘッドホンの前記マイクからの情報を前記第２のヘッドホンに提供する、
ように構成される、
ことを特徴とする請求項１７に記載のセット。
【請求項２０】
前記第１のヘッドホンの前記プロセッサは、前記命令を実行した時に、前記第１のヘッドホンの前記プロセッサと通信する再生要素をユーザが選択したことに応答して、前記音楽情報を前記第２のヘッドホンに提供するように構成される、
ことを特徴とする請求項１７に記載のセット。
【発明の詳細な説明】
【技術分野】
【０００１】
〔関連出願との相互参照〕
本出願は、２０１３年９月１７日に出願された米国仮特許出願第６１／８７８，８３５号に対して優先権を主張するものである。
【０００２】
本出願は、一般に、身体活動及び／又はフィットネス運動を行う際に使用するように構成されたデジタルエコシステムに関する。
【背景技術】
【０００３】
社会は、ますます健康志向になってきている。今では、人々が運動を通じて健康を維持するように促すために、様々な運動及びトレーニングが提供されている。本明細書で理解されるように、固定式運動装置には、運動する人の情報のためのデータディスプレイを備えるものが多くなってきており、この情報は個人に合わせられたものではなく、反復的で単調なものであることが多い。本明細書でさらに理解されるように、人々はトレーニングの補助として音楽を聴くことを楽しむが、通常、この音楽はジム内で放送されているものであったり、或いはユーザが装着できる録音装置で提供されるものであり、この場合も単調でパターンが変化しない可能性が高い。
【発明の概要】
【課題を解決するための手段】
【０００４】
本原理は、上記に加え、ユーザが自分のパフォーマンス及び／又はトレーニング音楽を運動仲間のリスニング体験に関連付けたいと望む可能性があると理解する。装置が、プロセッサにより実行可能な命令を有する少なくとも１つのコンピュータ可読記憶媒体と、このコンピュータ可読記憶媒体にアクセスして命令を実行するように構成された少なくとも１つのプロセッサとを含む。プロセッサは、命令の実行時に、プロセッサと通信する少なくとも１つの近距離無線通信（ＮＦＣ）要素によって可能とされるＮＦＣを用いて、仲間の装置とペアになって情報共有のためのＮＦＣペアリングを確立するように構成される。プロセッサは、ＮＦＣペアリングからの情報を用いて、無線トランシーバを使用して仲間の装置に音楽情報を提供するようにも構成される。
【０００５】
無線トランシーバは、Ｂｌｕｅｔｏｏｔｈ(登録商標)トランシーバとすることができ、これを使用して仲間の装置に音楽情報を提供することができる。プロセッサは、記憶媒体に記憶されている命令の実行時に、装置の少なくとも１つのスピーカにおいて可聴運動情報を再生するように構成することができる。この可聴運動情報は、仲間の装置には送信しなくてよい。プロセッサは、上記命令を実行し、装置のユーザに取り付けられた生体測定センサに基づくことができる可聴運動情報を受け取るように構成されている場合、この情報を受け取ることができる。
【０００６】
記憶媒体上の命令は、プロセッサを、装置に付随するマイクからの情報を受け取るように構成することもできる。プロセッサは、ＮＦＣペアリングからの情報を用いて、マイクからの情報を仲間の装置に提供することもできる。可聴情報は、Ｂｌｕｅｔｏｏｔｈ(登録商標)を用いて仲間の装置に提供することができる。或いは、ＮＦＣ要素はＢｌｕｅｔｏｏｔｈ(登録商標)トランシーバでなくてもよい。
【０００７】
プロセッサは、命令を実行した時に、プロセッサと通信できる再生要素をユーザが選択したことに応答して、仲間の装置に音楽情報を提供するように構成することができる。この装置は第１の装置とすることができ、仲間の装置に提供される音楽情報は、第１の装置のスピーカ上で再生されている第１の楽曲とすることができ、これにより第１の装置と仲間の装置が同じ楽曲を再生するようになる。さらに、第１の装置が仲間の装置に提供できる音楽情報は、第１の装置のスピーカ上で再生されている第１の楽曲のテンポを含むことができる。このテンポ情報を用いて、第１の装置と仲間の装置の両方が、互いに異なる楽曲を第１の装置により提供されたテンポで再生することができる。
【０００８】
或いは、この命令は、プロセッサを、ＮＦＣペアリングからの情報を用いて、無線トランシーバを使用して仲間の装置から音楽情報を受け取り、及び／又は仲間の装置に付随するマイクにおける仲間の装置の入力からの可聴情報を受け取るように構成することもできる。
【０００９】
別の態様では、方法が、第１のヘッドホンと仲間のヘッドホンを近接して配置して、これらのヘッドホン間で自動的に情報を共有させるペアリングを確立するステップを含む。この共有情報を使用することにより、第１のヘッドホン上で再生されている音楽が仲間のヘッドホンに自動的に送信されて再生され、両ヘッドホンが互いに同時に同じ音楽を再生するようにすることができる。これに加えて又はこれとは別に、この共有情報を使用することにより、第１のヘッドホン上で再生されている音楽に関連するテンポ情報が仲間のヘッドホンに自動的に送信され、両ヘッドホンが異なる音楽を同じテンポで再生するようにすることもできる。
【００１０】
別の態様では、部品のセットが、マイク、少なくとも１つのスピーカ、少なくとも１つの近距離無線通信（ＮＦＣ）要素、及びＮＦＣ要素とは異なる少なくとも１つの無線トランシーバを含む第１のヘッドホンを含む。第１のヘッドホンは、少なくとも１つのスピーカが人の耳に近接して配置されて、この人物がスピーカにより再生される音楽を聴けるように、人の頭部に取り付けられるよう構成される。さらに、少なくとも１つの第２のヘッドホンが、マイク、少なくとも１つのスピーカ、少なくとも１つの近距離無線通信（ＮＦＣ）要素、及びＮＦＣ要素とは異なる少なくとも１つの無線トランシーバを含む。第２のヘッドホンは、第２のヘッドホンの少なくとも１つのスピーカが人の耳に近接して配置されて、この人物が第２のヘッドホンのスピーカにより再生される音楽を聴けるように、人の頭部に取り付けられるよう構成される。
【００１１】
同様の参照符号が同様の要素を示す添付図面を参照することにより、本発明の詳細をその構造及び動作の両方に関して最も良く理解することができる。
【図面の簡単な説明】
【００１２】
【図１】本原理による、ＣＥ装置例を含むシステム例のブロック図である。
【図２】本原理による、音楽プレーヤとして具体化された特定のＣＥ装置例を含むシステム例のブロック図である。
【図３】図２に示す様々なプロセッサにより実行できるロジックを示す図である。
【図４】図２に示す様々なプロセッサにより実行できるロジックを示す図である。
【図５】図２に示す様々なプロセッサにより実行できるロジックを示す図である。
【発明を実施するための形態】
【００１３】
本開示は、一般に消費者電子（ＣＥ）装置に基づくユーザ情報に関する。本明細書で説明するあらゆるコンピュータシステムに関し、本明細書におけるシステムは、互いにデータを交換できるようにネットワークを介して接続されたサーバコンポーネント及びクライアントコンポーネントを含むことができる。クライアントコンポーネントは、ポータブルテレビ（例えば、スマートＴＶ、インターネット対応ＴＶ）、ラップトップコンピュータ及びタブレットコンピュータなどのポータブルコンピュータ、並びにスマートフォン及び後述するさらなる例を含むその他のモバイル装置を含む１又はそれ以上のコンピュータ装置を含むことができる。これらのクライアント装置は、非限定的な例として、Ａｐｐｌｅ社、Ｇｏｏｇｌｅ社又はＭｉｃｒｏｓｏｆｔ社製のオペレーティングシステムを使用することができる。ＵＮＩＸ(登録商標)オペレーティングシステムを使用することもできる。これらのオペレーティングシステムは、Ｍｉｃｒｏｓｏｆｔ社、Ｇｏｏｇｌｅ社、Ｍｏｚｉｌｌａ又はその他のブラウザプログラムにより製作された、インターネット、ローカルイントラネット又は仮想プライベートネットワークなどのネットワークを介してインターネットサーバによりホストされるウェブアプリケーションにアクセスできるブラウザなどの１又はそれ以上のブラウザを実行することができる。
【００１４】
本明細書で使用する命令とは、システム内で情報を処理するためのコンピュータ実行ステップのことを意味する。命令は、ソフトウェア、ファームウェア、又はハードウェアに実装することができ、従って例示的な構成要素、ブロック、モジュール、回路及びステップについては、これらの機能面から説明する。
【００１５】
プロセッサは、アドレス回線、データ回線及び制御回線などの様々な回線、並びにレジスタ及びシフトレジスタによってロジックを実行できるいずれかの従来の汎用シングルチップ又はマルチチッププロセッサとすることができる。さらに、本明細書で説明するあらゆる論理ブロック、モジュール及び回路は、汎用プロセッサに加え、デジタルシグナルプロセッサ（ＤＳＰ）、フィールドプログラマブルゲートアレイ（ＦＰＧＡ）、又は特定用途向け集積回路（ＡＳＩＣ）などのその他のプログラマブル論理装置、離散ゲート又はトランジスタロジック、離散ハードウェアコンポーネント、又は本明細書で説明する機能を実行するように設計されたこれらのいずれかの組み合わせに実装し、又はこれらの組み合わせによって実行することができる。プロセッサは、コントローラ、状態機械、又はコンピュータ装置の組み合わせにより実装することができる。
【００１６】
フローチャートによって説明するあらゆるソフトウェアモジュール、及び／又は本明細書におけるユーザインターフェイスは、様々なサブルーチン、手続きなどを含むことができる。モジュールにより実行されるものとして開示するロジックは、他のソフトウェアモジュールに再分配し、及び／又は共に単一のモジュールに組み合わせ、及び／又は共有可能なライブラリ内で利用可能にすることもできると理解されたい。
【００１７】
ソフトウェアで実装する場合のロジックは、限定するわけではないが、Ｃ＃、Ｃ＋＋などの適当な言語で書くことができ、ランダムアクセスメモリ（ＲＡＭ）、リードオンリメモリ（ＲＯＭ）、電気的消去可能プログラム可能リードオンリメモリ（ＥＥＰＲＯＭ）、コンパクトディスクリードオンリメモリ（ＣＤ−ＲＯＭ）、又はデジタル多用途ディスク（ＤＶＤ）などのその他の光ディスクストレージ、磁気ディスクストレージ、又は取り外し可能なサムドライブなどを含むその他の磁気ストレージ装置などのコンピュータ可読記憶媒体に記憶し、又はこれらを通じて伝送することができる。ある接続は、コンピュータ可読媒体を設定することができる。このような接続は、一例として、光ファイバ、同軸線、デジタル加入者回線（ＤＳＬ）及びツイストペア線を含む有線ケーブルを含むことができる。このような接続は、赤外線及び無線を含む無線通信接続を含むこともできる。
【００１８】
一例では、プロセッサが、その入力線を介して、コンピュータ可読記憶媒体などのデータストレージからの情報にアクセスし、及び／又は無線トランシーバを作動させてデータを送受信することにより、インターネットサーバからの情報に無線でアクセスすることができる。通常、データは、受信時にアナログ信号からデジタル信号に変換された後でアンテナとプロセッサのレジスタとの間の回路によってバイナリデータに変換され、送信時にバイナリデータからデジタルデータに、そしてアナログデータに変換される。その後、プロセッサは、そのシフトレジスタを介してデータを処理し、この計算されたデータをＣＥ装置上に提示するために出力線上で出力する。
【００１９】
１つの実施形態に含まれる構成要素は、他の実施形態においていずれかの適当な組み合わせで使用することができる。例えば、本明細書において説明する及び／又は図に示す様々な構成要素は、いずれも組み合わせ、置き換え、又は他の実施形態から除外することができる。
【００２０】
「Ａ、Ｂ及びＣのうちの少なくとも１つを有するシステム（同様に、「Ａ、Ｂ又はＣのうちの少なくとも１つを有するシステム」、及び「Ａ、Ｂ、Ｃのうちの少なくとも１つを有するシステム」）」は、Ａのみ、Ｂのみ、Ｃのみ、ＡとＢの両方、ＡとＣの両方、ＢとＣの両方、及び／又はＡとＢとＣ全てなどを有するシステムを含む。
【００２１】
図１について説明する前に、本明細書で説明するＣＥ装置及びソフトウェアは、デジタルエコシステムとの関連において使用可能であると理解されると理解されたい。従って、本明細書で理解されるように、コンピュータエコシステム又はデジタルエコシステムは、持続可能性、自動組織性及び拡張性を特徴とする適応的かつ分散型の社会技術システムとすることができる。完全なコンピュータエコシステムは、養分循環及びエネルギーフローを通じて相互作用する生物及び非生物要素からなる環境エコシステムに端を発し、場合によってはＳｏｎｙ  Ｅｌｅｃｔｒｏｎｉｃｓ社などの１つの会社が提供できるハードウェア、ソフトウェア及びサービスで構成することもできる。各コンピュータエコシステムの目的は、望まれる可能性のある全てを、少なくとも部分的にインターネットを介して交換できるサービス及び／又はソフトウェアの形で消費者に提供することである。さらに、コンピューティングクラウド内のアプリケーションなどの、エコシステムの要素間の相互関連性及び共有は、データを体系化してこれにアクセスする能力の向上を消費者にもたらし、それ自体を効率的な統合エコシステムの将来的な特徴として示す。
【００２２】
コンピュータエコシステムには、垂直型コンピュータエコシステム及び水平型コンピュータエコシステムという２つの一般型が存在する。垂直型のアプローチでは、エコシステムの事実上全ての態様が同じ会社に関連し（例えば、同じメーカーによって生産され）、特に互いにシームレスに相互作用するように設計される。一方、水平型エコシステムは、異なる団体により開発されたハードウェア及びソフトウェアなどの態様を１つの統一エコシステムに統合する。水平型のアプローチでは、消費者及びメーカーからのより多くの種類の入力が可能になり、変化する需要に対する新たな革新及び適合の能力が増す。しかしながら、これに関わらず、本明細書で言及するものを含むデジタルエコシステムには、上述した水平型エコシステムの特性と垂直型エコシステムの特性を両方とも具体化できるものもあると理解されたい。
【００２３】
従って、身体活動を行いながらこれらのエコシステムを使用して、例えば、創造性、目的の成就及び／又は達成、自動コーチング／トレーニング、健康及び運動分析、便利なデータアクセス、（フィットネスデータなどの）グループ共有、並びに高精度な健康モニタリングを提供することができ、これらは全て、活動中にスタイリッシュかつ娯楽的な形で提供されるとさらに理解されたい。さらに、本明細書で開示する装置は、たとえ全ての人々がそれぞれのＣＥ装置上に同じタイプ及び組み合わせのセンサを有していなくても、運動中に（例えば、リアルタイムで）運動をモニタするために、及び／又は（例えば、ソーシャルネットワーキングサービスを使用して）友人とデータを共有するために使用するための（図１を参照しながら後述するような）様々なセンサからのデータに基づいて診断的判定を行うことができると理解される。
【００２４】
従って、本明細書で説明するＣＥ装置では、運動前、運動中及び運動後などに、過度に煩わしさ又は負担を感じることがないように容易かつ簡単に装置とのユーザ対話を行うことができると理解されたい。
【００２５】
ここで図１を詳細に参照すると、本原理による、上述し以下でさらに説明する、フィットネス運動を増進するための装置例の１つ又はそれ以上を含むことができるシステム例１０を示している。システム１０に含まれる第１の装置例は、（例えば、水泳中に使用するために）防水処理することができる消費者電子（ＣＥ）装置例１２である。ＣＥ装置１２は、例えば、コンピュータ化されたインターネット対応（「スマート」）電話機、タブレットコンピュータ、ノートブックコンピュータ、コンピュータ化されたインターネット対応腕時計などのコンピュータ化されたウェアラブル装置、コンピュータ化されたインターネット対応ブレスレット、その他のコンピュータ化されたインターネット対応フィットネス装置、コンピュータ化されたインターネット対応音楽プレーヤ、コンピュータ化されたインターネット対応ヘッドホン、埋め込み型皮膚装着装置などのコンピュータ化されたインターネット対応埋め込み型装置、さらにはコンピュータ化されたインターネット対応テレビ（ＴＶ）などとすることができる。いずれにせよ、ＣＥ装置１２は、本原理を実施する（例えば、他のＣＥ装置と通信して本原理を実施し、本明細書で説明するロジックを実行し、本明細書で説明する他のいずれかの機能及び／又は動作を実行する）ように構成されると理解されたい。
【００２６】
従って、ＣＥ装置１２は、このような原理を実施するために、図１に示す構成要素の一部又は全部を含むことができる。例えば、ＣＥ装置１２は、１又はそれ以上のタッチ式ディスプレイ１４、本原理に従って音声を出力するための１又はそれ以上のスピーカ１６、及びＣＥ装置１２に可聴コマンドを入力してＣＥ装置１２の制御などを行うための、オーディオレシーバ／マイクなどの少なくとも１つのさらなる入力装置１８を含むことができる。ＣＥ装置例１２は、１又はそれ以上のプロセッサ２４の制御下でインターネット、ＷＡＮ、ＬＡＮなどの少なくとも１つのネットワーク２２を介して通信するための１又はそれ以上のネットワークインターフェイス２０を含むこともできる。プロセッサ２４は、画像を提示するようにディスプレイ１４を制御すること、ディスプレイ１４からの入力を受け取ることなどの、本明細書で説明するＣＥ装置１２の他の要素を含めて本原理を実施するようにＣＥ装置１２を制御すると理解されたい。さらに、ネットワークインターフェイス２０は、例えば、有線又は無線モデム又はルータ、或いは無線電話トランシーバ、ＷｉＦｉトランシーバなどのその他の適当なインターフェイスとすることができる。
【００２７】
ＣＥ装置１２は、上述の内容に加えて、（有線接続などを使用して）別のＣＥ装置に物理的に接続するためのＵＳＢポートなどの１又はそれ以上の入力ポート２６、及び／又はＣＥ装置１２からヘッドホンを通じてユーザに音声を提示できるようにＣＥ装置１２にヘッドホンを接続するためのヘッドホンポートを含むこともできる。ＣＥ装置１２は、ディスク型ストレージ又は固体ストレージなどの１又はそれ以上の有形コンピュータ可読記憶媒体２８をさらに含むことができ、このコンピュータ可読記憶媒体２８は搬送波でなくてもよいと理解されたい。また、いくつかの実施形態では、ＣＥ装置１２が、以下に限定するわけではないが、例えば、少なくとも１つの衛星から地理的位置情報を受け取ってこの情報をプロセッサ２４に提供するように構成された、及び／又はＣＥ装置１２が配置されている高度をプロセッサ２４と協働して特定するように構成された、ＧＰＳ受信機及び／又は高度計３０などの位置又は場所受信機を含むこともできる。しかしながら、本原理に従ってＧＰＳ受信機及び／又は高度計以外の別の好適な位置受信機を使用し、例えば３次元全てでＣＥ装置１２の場所を特定することもできると理解されたい。
【００２８】
ＣＥ装置１２の説明を続けると、いくつかの実施形態では、ＣＥ装置１２が、例えば、熱探知カメラ、ウェブカメラなどのデジタルカメラ、及び／又はＣＥ装置１２に統合されて本原理に従い写真／画像及び／又はビデオを収集するようにプロセッサ２４により制御可能な（例えば、ソーシャルネットワークの友人とのハイキングなどの身体活動面を共有するための）カメラとすることができる１又はそれ以上のカメラ３２を含むこともできる。ＣＥ装置１２は、Ｂｌｕｅｔｏｏｔｈ(登録商標)及び／又は近距離無線通信（ＮＦＣ）技術をそれぞれ用いて他の装置と通信するためのＢｌｕｅｔｏｏｔｈ(登録商標)トランシーバ３４及びその他のＮＦＣ要素３６を含むこともできる。ＮＦＣ要素の例としては、無線周波数識別（ＲＦＩＤ）要素を挙げることができる。
【００２９】
さらに、ＣＥ装置１２は、プロセッサ２４に入力を提供する１又はそれ以上の運動センサ３７（加速度計、ジャイロスコープ、車輪回転記録器、磁気センサ、受動ＩＲセンサなどの赤外線（ＩＲ）運動センサ、光学センサ、速度及び／又は歩調センサ、（ジェスチャコマンドなどを感知するための）ジェスチャセンサなど）を含むこともできる。ＣＥ装置１２は、１又はそれ以上の気候センサ３８（気圧計、湿度センサ、風センサ、光センサ、温度センサなど）及び／又は１又はそれ以上の生体センサ４０（心拍センサ及び／又は心臓モニタ、カロリー計算機、血圧センサ、発汗センサ、匂い及び香り検出器、指紋センサ、顔認識センサ、虹彩及び／又は網膜検出器、ＤＮＡセンサ、（血中酸素センサ、及び／又はＶＯ２  ｍａｘ（最大酸素摂取量）センサなどの）酸素センサ、ブドウ糖及び／又は血糖センサ、（スリープトラッカーなどの）睡眠センサ、歩数計及び／又は速度センサ、体温センサ、養分及び新陳代謝率センサ、音声センサ、肺入／出力及びその他の心臓血管センサなど）などの、やはりプロセッサ２４に入力を提供するさらに他のセンサを含むこともできる。上述の内容に加えて、いくつかの実施形態では、ＣＥ装置１２が、ＣＥ装置１２に給電を行うバッテリー（図示せず）を充電するための運動発電装置４２を含むこともできる。
【００３０】
引き続き図１を参照すると、システム１０は、ＣＥ装置１２に加えて、以下に限定されるわけではないが、コンピュータ化されたインターネット対応ブレスレット４４、コンピュータ化されたインターネット対応ヘッドホン及び／又はイヤホン４６、コンピュータ化されたインターネット対応衣類４８、（トレッドミル、運動バイク、エリプティカルマシンなどの）コンピュータ化されたインターネット対応運動器具５０などの１又はそれ以上の他のタイプのＣＥ装置を含むこともできる。また、運動器具５０が置かれたジムへの入場認可を可能にするコンピュータ化されたインターネット対応ジム入場キオスク５２も示している。本段落で説明したものを含む、システム１０に含まれる他のＣＥ装置は、以下に限定されるわけではないが、上述した生体センサ及び運動センサ、並びに位置受信機、カメラ、入力装置、さらには上述したスピーカなどの、ＣＥ装置１２に関連して上述した様々な構成要素の一部又は全部をそれぞれ含むことができると理解されたい。
【００３１】
従って、例えば、ヘッドホン／イヤホン４６は、ある人物がヘッドホンを着用している時にその人物の心拍数を検知するように構成された心拍センサを含むことができ、衣類４８は、発汗センサ、気候センサ、及びその人物のトレーニングの強度を測定するための心臓センサを含むことができ、運動器具５０は、ユーザの顔画像を収集することにより、ユーザが運動器具５０によって設定されたペースを維持しようともがいていることが特定の顔の表情によって示されているかどうかを判定できるようにするための、運動器具５０の一部に取り付けられたカメラ、及び／又は運動器具５０とＣＥ装置１２をペアにし、従って予め設定されたトレーニングルーチンのデータベースにアクセスするためのＮＦＣ要素を含むことができ、キオスク５２は、（装置１２上のＮＦＣ要素３６などの）相補的ＮＦＣ要素から受け取った入力に基づいて入場を許可されていると認証された人物に入場を許可するＮＦＣ要素を含むことができる。また、図１を参照して説明した装置は、簡単に後述するサーバ５４を含め、全てがこれらに含まれるそれぞれのネットワークインターフェイスを使用してネットワーク２２を介して互いに通信することができ、またこれらの装置の各々は、本原理によるロジック及び／又はソフトウェアコードを記憶するための、搬送波でなくてもよいコンピュータ可読記憶媒体を含むことができる。
【００３２】
ここで、上述した少なくとも１つのサーバ５４を参照すると、このサーバ５４は、少なくとも１つのプロセッサ５６と、ディスク型ストレージ又は固体ストレージなどの、搬送波でなくてもよい少なくとも１つの有形コンピュータ可読記憶媒体５８と、プロセッサ５６の制御下でネットワーク２２を介して図１の他のＣＥ装置と通信することを可能にし、実際には本原理に従ってこれらのＣＥ装置との通信を容易にすることができる少なくとも１つのネットワークインターフェイス６０とを含む。なお、ネットワークインターフェイス６０は、例えば、有線又は無線モデム又はルータ、ＷｉＦｉトランシーバ、或いは無線電話トランシーバなどの他の適当なインターフェイスとすることもできる。
【００３３】
従って、いくつかの実施形態では、サーバ５４をインターネットサーバとし、本原理に従ってＣＥ装置間のフィットネス協調及び／又はデータ交換を容易にし、実施形態例ではシステム１０のＣＥ装置がサーバ５４を介して「クラウド」環境にアクセスし、例えば運動中に聞く音楽をストリーミングし、及び／又は２又はそれ以上の装置をペアにすること（例えば、１つの装置から別の装置に音楽を「投げる」こと）ができるように「クラウド」機能を含んでこれを実行することができる。
【００３４】
図２には、コンピュータ可読記憶媒体７４上の実行可能命令にアクセスして左右のスピーカ７６、７８上に音楽を出力する音楽プレーヤプロセッサ７２を実装するヘッドホン７０として具体化された特定のＣＥ装置を示す。音楽プレーヤプロセッサ７２は、図示の物理的ヘッドホンから距離を置き、有線又は無線で通信することができると理解されたい。本明細書では、このような組み合わせもやはり「ヘッドホン」と呼ぶ。プロセッサ７２は、ＷｉＦｉトランシーバ又は無線電話トランシーバなどのネットワークインターフェイス８０を使用して音楽及びその他の通信にアクセスすることもできる。プロセッサは、近距離無線通信（ＮＦＣ）要素８２及びＢｌｕｅｔｏｏｔｈ(登録商標)トランシーバなどの無線トランシーバ８４を介して他の装置と情報を交換することもできる。
【００３５】
従って、通常、図２のヘッドホン７０は、湾曲したヘッドバンド又はスピーカ同士を接続する柔軟なワイヤなどのコネクタ８６によって人のそれぞれの左右の耳に取り付けられるように構成されたイヤホン又はイヤパッドとして具体化できる左右のスピーカ７６、７８を含む。
【００３６】
また、ヘッドホンの本体のステム部９０に装着できるマイク８８を設け、これをプロセッサ７２に電気的に接続して、プロセッサ７２にユーザの音声信号を入力することもできる。さらに、１又はそれ以上の生体測定センサ９２が、有線又は無線リンク９４により、ヘッドホン７０を着用している人物の心拍数又はストライドレート又は発汗率又はその他の生体測定尺度を示す入力をプロセッサ７２に提供することもできる。従って、センサ９２は、パルスセンサ、ストライドセンサ、発汗センサなどを含むことができる。
【００３７】
第２の人物が、左右のスピーカ９８、１００を含む第２のヘッドホン９６を着用することもできる。この第２のヘッドホン９６は、構成及び動作をヘッドホン７０と実質的に同一とすることができ、その構成の詳細については簡潔にするために省いていると理解されたい。
【００３８】
いくつかの実装では、練習場などに、コンピュータ可読記憶媒体１０６上の実行可能命令にアクセスして少なくとも１つのスピーカ１０８上に可聴情報を出力する１又はそれ以上のプロセッサ１０４を含むことができるトレーナコンソール１０２を設けることができる。プロセッサ１０６は、ＷｉＦｉトランシーバ又は無線電話トランシーバなどのネットワークインターフェイス１１０を用いてネットワーク情報にアクセスすることもできる。プロセッサは、近距離無線通信（ＮＦＣ）要素１１２及びＢｌｕｅｔｏｏｔｈ(登録商標)トランシーバなどの無線トランシーバ１１４を介して他の装置と情報を交換することもできる。また、マイク１１６を設け、これをプロセッサ１０４に電気的に接続してトレーナコンソール１０２にユーザ音声信号を入力することもできる。Ｂｌｕｅｔｏｏｔｈ(登録商標)などを介して受け取られた、ヘッドホン７０、９６及び生体測定センサ９２などの他の装置からの情報を視覚ディスプレイ１１８上に提示することもできる。
【００３９】
ここで図３を参照すると、図２の様々なプロセッサが実行できるロジックが、ブロック１２０において第１のヘッドホン７０を第２のヘッドホン９６の近くに位置付けてＮＦＣペアリングを確立することにより開始する。ブロック１２２において、ヘッドホン７０、９６は、ＮＦＣ８２を介してＢｌｕｅｔｏｏｔｈ(登録商標)パラメータなどの通信情報を自動的に交換し、Ｂｌｕｅｔｏｏｔｈ(登録商標)ペアリングを生じさせることができる。ロジックは、２つの方向のうちの一方に進むことができ、第１の方向では、ブロック１２４において、ユーザが第１のヘッドホン７０上で「再生」を選択し、プロセッサ７２が、現在第１のヘッドホン７０上で再生中の音楽を、Ｂｌｕｅｔｏｏｔｈ(登録商標)９４を介して第２のヘッドホン９６に送信する。ブロック１２６において、引き続き第２のヘッドホン９６上で音楽を再生することができる。ブロック１２８において、生体測定センサ９２から脈拍数、ストライドレートなどの生体測定情報を第１のヘッドホン７０において受け取ることができ、ブロック１３０において、この情報が第１のヘッドホン７０上で聴覚的に再生され、第２のヘッドホン９６では再生されない。
【００４０】
ロジックがブロック１２２の後に進むことができる、図３の破線で示す第２のルートは、第１のヘッドホン７０のユーザが「再生」を選択できた時にブロック１３２から開始し、プロセッサ７２が現在再生中の音楽のメタデータにアクセスしてこの音楽のテンポを検出し、このテンポデータを第２のヘッドホン９６に送信することができる。次に、第２のヘッドホン９６は、ブロック１３４において、第１のヘッドホン７０の音楽とは異なる音楽を第１のヘッドホン７０からの音楽と同じテンポで再生し、これにより音楽の速度を落としたり又は速めたりすることができる。その後、この第２のルートのロジックはブロック１２８に戻って第１のルートのロジックと統合され、第１のヘッドホン７０においてセンサ９２からの生体測定情報を受け取り、次にブロック１３０において、この情報が第１のヘッドホン７０上で聴覚的に再生され、第２のヘッドホン９６では再生されない。
【００４１】
図４に示すロジックは、第１のヘッドホン７０のマイク８８において第１のユーザの音声を受け取ることによりブロック１３６から開始する。次に、ブロック１３８において、Ｂｌｕｅｔｏｏｔｈ(登録商標)９４を介してこの音声データを第２のヘッドホン９６に送信することができ、その後、ブロック１４０において、現在第２のヘッドホン９６上で再生中の音楽に重ねて第２のヘッドホン９６上でこの音声データを再生することができる。破線で示すブロック１４２は、第１のヘッドホン７０上のマイク８８からの音声データを現在第２のヘッドホン９６上で再生中の音楽に重ねて再生する代わりに、現在第２のヘッドホン９６上で再生中の音楽の音量を抑えながら又は下げながら第２のヘッドホン９６上で音声データを再生できることを示す。
【００４２】
ここで図５のロジックを参照すると、ブロック１４４において、ヘッドホンＮＦＣ要素８２とトレーナコンソールＮＦＣ要素１１２の間にＮＦＣペアリングを確立することができる。ブロック１４６において、このＮＦＣペアリングを用いてＢｌｕｅｔｏｏｔｈ(登録商標)情報を交換し、これによりヘッドホンＢｌｕｅｔｏｏｔｈ(登録商標)トランシーバ９４とトレーナコンソールＢｌｕｅｔｏｏｔｈ(登録商標)１１４の間にＢｌｕｅｔｏｏｔｈ(登録商標)ペアリングを確立することができる。ブロック１４８において、Ｂｌｕｅｔｏｏｔｈ(登録商標)ペアリング通信を介して、ヘッドホン７０上のセンサ９２が取得した生体測定情報をトレーナコンソール１０２に送信してディスプレイ１１８上に提示することができる。ブロック１５０において、コンソール１０２に入力されたトレーナコマンドを、Ｂｌｕｅｔｏｏｔｈ(登録商標)ペアリング通信を介して送信してヘッドホン７０上で再生することができる。図５で説明したものと同じロジックを第２のヘッドホン９６に適用することもできる。
【００４３】
いずれの図を特定的に参照することなく、本原理は、例えばＣＥ装置を用いて互いに通信しているグループが、「リーダ」として指定された１つのＣＥ装置を含むことができ、従ってグループリーダに関連付けられるように互いに通信しているＣＥ装置にも適用することができると理解されたい。グループリーダのＣＥ装置は、グループの他のＣＥ装置に情報を提供して、グループ内の複数の人々がリーダの指示、情報などに従うようにすることができるが、各人には、依然としてリーダ／インストラクタの音声及び共通の音楽などを聞きながら、それぞれのＣＥ装置を介してそれぞれの個人向け統計データ及び通知を提示することができる。
【００４４】
やはり特定を特定的に参照することなく、本原理を運動に関して説明したが、本原理は、ガイド付きの美術館巡りにおけるグループ通信、又はグループリーダなどが本原理による通信を使用及び／又は活用できる他のいずれかのツアー／グループ体験などの、ＣＥ装置のグループが互いに通信するような他の事例に適用することもできると理解されたい。
【００４５】
本明細書では、特定の「同期した運動仲間ヘッドホン」を図示して詳述したが、本発明に含まれる主題は特許請求の範囲によってのみ限定されるものであると理解されたい。
【図１】
2015061318.tif 000003
【図２】
2015061318.tif 000004
【図３】
2015061318.tif 000005
【図４】
2015061318.tif 000006
【図５】
2015061318.tif 000007
【外国語明細書】
2015061318000001.pdf